【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
インタラクティブ通知要素を提供するための方法であって、
１つ以上のプロセッサ及びメモリを有する電子デバイスにおいて、
第１のメッセージを受信することと、
前記第１のメッセージを受信した後に、ユーザインターフェースの第１の領域内に第１の通知要素及び第１のユーザインターフェース要素を、前記ユーザインターフェースの第２の領域内に複数のアプリケーションアイコンを同時に表示し、前記第１のユーザインターフェース要素の選択を受け取ることに応答して、前記ユーザインターフェースの第３の領域内にキーボード要素を表示することであって、前記第１の通知要素が、前記受信した第１のメッセージに関する情報を含み、前記第１のユーザインターフェース要素が、前記第１のメッセージへの返信を表示するためのものであり、前記キーボード要素が、テキストを入力するためのものである、ことと、
前記第１の通知要素を表示している間に、前記第１のユーザインターフェース要素、前記複数のアプリケーションアイコン、及び前記キーボード要素が、前記第１のメッセージへのユーザ生成返信に対応する情報を受け取ることと、
前記第１のメッセージへの前記ユーザ生成返信に対応する情報を受け取ることに応答して、前記第１のメッセージへの前記ユーザ生成返信に対応する前記情報の表示を前記第１のユーザインターフェース要素に表示することと、
送信入力を受け取ったことに応じて、前記ユーザ生成返信を送信に供することと、
を含む、方法。
【請求項２】
前記ユーザ生成返信が、テキストベースのメッセージを含む、請求項１に記載の方法。
【請求項３】
送信入力の受信が、第２のユーザインターフェース要素の選択を受信することを含む、請求項２に記載の方法。
【請求項４】
前記ユーザ生成返信が、音声メッセージを含む、請求項１又は２のいずれか一項に記載の方法。
【請求項５】
送信入力の受信が、前記電子デバイスを下ろす動きを検出することを含む、請求項４に記載の方法。
【請求項６】
前記ユーザ生成返信を送信に供することに応じて、前記ユーザインターフェースの前記第１の領域内に前記第１の通知要素を表示するのを停止することを更に含む、請求項１から５のいずれか一項に記載の方法。
【請求項７】
前記ユーザ生成返信に関する前記情報が、前記ユーザインターフェースの第２の領域内に関連のアプリケーションを表示することなく受信される、請求項１から６のいずれか一項に記載の方法。
【請求項８】
前記第１の通知要素を表示している間に、第２のメッセージを受信することと、
前記ユーザ生成返信を送信に供することに応じて、
前記ユーザインターフェースの前記第１の領域内に第２の通知要素を表示することであって、前記通知要素が、前記受信した第２のメッセージに関する情報を含む、ことと、を更に含む、請求項１から７のいずれか一項に記載の方法。
【請求項９】
前記第２のメッセージの受信に応じて、前記第１の通知要素内に、前記第２のメッセージを受信したという表示を表示することを更に含む、請求項８に記載の方法。
【請求項１０】
前記第１の通知要素を表示している間に、第２のメッセージを受信することと、
前記第２のメッセージが前記第１のメッセージに関連すると判定することと、
前記ユーザインターフェースの前記第１の領域内に第２の通知要素を表示することであって、前記第２の通知要素が、前記受信した第２のメッセージに関する情報を含む、ことと、
を更に含む、請求項１から７のいずれか一項に記載の方法。
【請求項１１】
前記第２の通知要素を表示することが、すでに受信している、前記ユーザ生成返信に関する情報を保持することを含む、請求項１０に記載の方法。
【請求項１２】
前記第１の通知要素の選択に対応する入力の受信に応じて、前記ユーザインターフェースの第２の領域内に関連のアプリケーションを表示することを更に含む、請求項１から６のいずれか一項に記載の方法。
【請求項１３】
前記関連のアプリケーションを前記ユーザインターフェースの第２の領域内に表示することが、すでに受信している、前記ユーザ生成返信に関する情報を保持することを含む、請求項１２に記載の方法。
【請求項１４】
前記第１のユーザインターフェース要素が、テキスト入力フィールドである、請求項１から１３のいずれか一項に記載の方法。
【請求項１５】
前記第１のユーザインターフェース要素を表示することが、
前記ユーザインターフェースの前記第１の領域内において１つ以上のジェスチャのシーケンスを受け取ることと、
１つ以上のジェスチャの前記シーケンスの受け取りに応じて、前記ユーザインターフェースの第２の領域内に前記第１のユーザインターフェース要素を表示することと、
を含む、請求項１４に記載の方法。
【請求項１６】
前記第１のユーザインターフェース要素が、テキスト入力フィールドと、音声の録音を開始するための音声入力ボタンと、を含み、
前記第１のユーザインターフェース要素の選択の受信に応じて、
前記選択が前記テキスト入力フィールドの選択を含むという判定に従い、前記ディスプレイ上にソフトキーボードを表示し、前記音声入力ボタンを、テキストメッセージを送信するための送信ボタンに入れ替え、
前記選択が前記音声入力ボタンの選択を含むという判定に従い、音声の録音を開始し、前記テキスト入力フィールドを、前記音声が録音されている表示に入れ替える、請求項１から１３のいずれか一項に記載の方法。
【請求項１７】
前記第１のメッセージが音声メッセージであり、前記方法が、
前記第１の通知要素を表示している間に、前記電子デバイスを耳にあてる動作を検出したことに応じて、前記第１のメッセージを再生することを更に含む、請求項１から１６のいずれか一項に記載の方法。
【請求項１８】
前記第１のメッセージの前記第１の通知要素を表示している間に、第２のメッセージを受信することと、
前記第２のメッセージの受信に応じて、
前記第２のメッセージが前記第１のメッセージに関連しないという判定に従い、前記第２のメッセージの第２の通知要素を表示させることを、前記第１の通知要素が閉じられるまで遅延させることと、
を更に含む、請求項１から６のいずれか一項に記載の方法。
【請求項１９】
前記第２の通知要素を表示している間に、前記第１の通知要素を閉じる要求を検出することと、
前記第１の通知要素を閉じる前記要求を検出したことに応じて、前記第１の通知要素を表示するのを停止することと、
前記第１の通知要素を表示するのを停止した後、前記第２の通知要素を表示することと、を更に含む、請求項１８に記載の方法。
【請求項２０】
前記第２のメッセージの受信に応じて、前記第２のメッセージが前記第１のメッセージに関連するという判定に従い、前記第２のメッセージを受信したことを示すように前記第１の通知要素をアップデートすること、を更に含む、請求項１８に記載の方法。
【請求項２１】
命令を有するコンピュータプログラムであって、前記命令がプロセッサによって実行されると、前記プロセッサに、
第１のメッセージを受信させ、
前記第１のメッセージを受信した後に、ユーザインターフェースの第１の領域内に第１の通知要素及び第１のユーザインターフェース要素を、前記ユーザインターフェースの第２の領域内に複数のアプリケーションアイコンを同時に表示し、前記第１のユーザインターフェース要素の選択を受け取ることに応答して、前記ユーザインターフェースの第３の領域内にキーボード要素を表示し、前記第１の通知要素が、前記受信した第１のメッセージに関する情報を含み、前記第１のユーザインターフェース要素が、前記第１のメッセージへの返信を表示するためのものであり、前記キーボード要素が、テキストを入力するためのものであり、
前記第１の通知要素を表示している間に、前記第１のユーザインターフェース要素、前記複数のアプリケーションアイコン、及び前記キーボード要素が、前記第１のメッセージへのユーザ生成返信に対応する情報を受け取り、
前記第１のメッセージへの前記ユーザ生成返信に対応する情報を受け取ることに応答して、前記第１のメッセージへの前記ユーザ生成返信に対応する前記情報の表示を前記第１のユーザインターフェース要素に表示し、
送信入力を受け取ったことに応じて、前記ユーザ生成返信を送信させる、コンピュータプログラム。
【請求項２２】
前記ユーザ生成返信が、テキストベースのメッセージを含む、請求項２１に記載のコンピュータプログラム。
【請求項２３】
送信入力の受信が、第２のユーザインターフェース要素の選択を受信することを含む、請求項２２に記載のコンピュータプログラム。
【請求項２４】
前記ユーザ生成返信が音声メッセージを含む、請求項２１又は２２に記載のコンピュータプログラム。
【請求項２５】
送信入力の受信が、前記電子デバイスを下ろす動きを検出することを含む、請求項２４に記載のコンピュータプログラム。
【請求項２６】
前記命令が、更に、前記プロセッサに、
前記ユーザ生成返信を送信に供することに応じて、前記ユーザインターフェースの前記第１の領域内に前記第１の通知要素を表示するのを停止させる、請求項２１から２５のいずれか一項に記載のコンピュータプログラム。
【請求項２７】
前記ユーザ生成返信に関する前記情報が、前記ユーザインターフェースの第２の領域内に関連のアプリケーションを表示することなく受信される、請求項２１から２６のいずれか一項に記載のコンピュータプログラム。
【請求項２８】
前記命令が、更に、前記プロセッサに、
前記第１の通知要素を表示している間に、第２のメッセージを受信させ、
前記ユーザ生成返信を送信に供することに応じて、
前記ユーザインターフェースの前記第１の領域内に第２の通知要素を表示させ、前記通知要素は前記受信した第２のメッセージに関する情報を含む、請求項２１から２７のいずれか一項に記載のコンピュータプログラム。
【請求項２９】
前記命令が、更に、前記プロセッサに、
前記第２のメッセージの受信に応じて、前記第１の通知要素内に、前記第２のメッセージを受信したという表示を表示させる、請求項２８に記載のコンピュータプログラム。
【請求項３０】
前記命令が、更に、前記プロセッサに、
前記第１の通知要素を表示している間に、第２のメッセージを受信させ、
前記第２のメッセージが前記第１のメッセージに関連すると判定させ、
前記ユーザインターフェースの前記第１の領域内に第２の通知要素を表示させ、前記通知要素が前記受信した第２のメッセージに関する情報を含む、請求項２１から２７のいずれか一項に記載のコンピュータプログラム。
【請求項３１】
前記第２の通知要素を表示することが、すでに受信している、前記ユーザ生成返信に関する情報を保持することを含む、請求項３０に記載のコンピュータプログラム。
【請求項３２】
前記命令が、更に、前記プロセッサに、
前記第１の通知要素の選択に対応する入力の受信に応じて、前記ユーザインターフェースの第２の領域内に関連のアプリケーションを表示させる、請求項２１から２６のいずれか一項に記載のコンピュータプログラム。
【請求項３３】
前記関連のアプリケーションを前記ユーザインターフェースの第２の領域内に表示することが、すでに受信している、前記ユーザ生成返信に関する情報を保持することを含む、請求項３２に記載のコンピュータプログラム。
【請求項３４】
前記第１のユーザインターフェース要素が、テキスト入力フィールドである、請求項２１から３３のいずれか一項に記載のコンピュータプログラム。
【請求項３５】
前記第１のユーザインターフェース要素を表示することが、
前記ユーザインターフェースの前記第１の領域内において１つ以上のジェスチャのシーケンスを受け取ることと、
１つ以上のジェスチャの前記シーケンスの受け取りに応じて、前記ユーザインターフェースの第２の領域内に前記第１のユーザインターフェース要素を表示することと、
を含む、請求項３４に記載のコンピュータプログラム。
【請求項３６】
前記第１のユーザインターフェース要素が、テキスト入力フィールドと、音声の録音を開始するための音声入力ボタンと、を含み、
前記第１のユーザインターフェース要素の選択の受信に応じて、
前記選択が前記テキスト入力フィールドの選択を含むという判定に従い、前記ディスプレイ上にソフトキーボードを表示し、前記音声入力ボタンを、テキストメッセージを送信するための送信ボタンに入れ替え、
前記選択が前記音声入力ボタンの選択を含むという判定に従い、音声の録音を開始し、前記テキスト入力フィールドを、前記音声が録音されている表示に入れ替える、請求項２１から３３のいずれか一項に記載のコンピュータプログラム。
【請求項３７】
前記第１のメッセージが音声メッセージであり、前記方法が、
前記第１の通知要素を表示している間に、前記電子デバイスを耳にあてる動作を検出したことに応じて、前記第１のメッセージを再生することを更に含む、請求項２１から３６のいずれか一項に記載のコンピュータプログラム。
【請求項３８】
前記命令が、更に、前記プロセッサに、
前記第１のメッセージの前記第１の通知要素を表示している間に、第２のメッセージを受信させ、
前記第２のメッセージの受信に応じて、
前記第２のメッセージが前記第１のメッセージに関連しないという判定に従い、前記第２のメッセージの第２の通知要素を表示するのを、前記第１の通知要素が閉じられるまで遅延させる、請求項２１から２６のいずれか一項に記載のコンピュータプログラム。
【請求項３９】
前記命令が、更に、前記プロセッサに、
前記第２の通知要素を表示している間に、前記第１の通知要素を閉じる要求を検出させ、
前記第１の通知要素を閉じる前記要求を検出したことに応じて、前記第１の通知要素を表示するのを停止させ、
前記第１の通知要素を表示するのを停止した後、前記第２の通知要素を表示させる、請求項３８に記載のコンピュータプログラム。
【請求項４０】
前記命令が、更に、前記プロセッサに、前記第２のメッセージの受信に応じて、前記第２のメッセージが前記第１のメッセージに関連するという判定に従い、前記第２のメッセージを受信したことを示すように前記第１の通知要素をアップデートさせる、請求項３８に記載のコンピュータプログラム。
【請求項４１】
プロセッサ及びメモリを備えるデバイスであって、前記デバイスが、
第１のメッセージを受信し、
前記第１のメッセージを受信した後に、ユーザインターフェースの第１の領域内に第１の通知要素及び第１のユーザインターフェース要素を、前記ユーザインターフェースの第２の領域内に複数のアプリケーションアイコンを同時に表示し、前記第１のユーザインターフェース要素の選択を受け取ることに応答して、前記ユーザインターフェースの第３の領域内にキーボード要素を表示し、前記第１の通知要素が、前記受信した第１のメッセージに関する情報を含み、前記第１のユーザインターフェース要素が、前記第１のメッセージへの返信を表示するためのものであり、前記キーボード要素が、テキストを入力するためのものであり、
前記第１の通知要素を表示している間に、前記第１のユーザインターフェース要素、前記複数のアプリケーションアイコン、及び前記キーボード要素が、前記第１のメッセージへのユーザ生成返信に対応する情報を受け取り、
前記第１のメッセージへの前記ユーザ生成返信に対応する情報を受け取ることに応答して、前記第１のメッセージへの前記ユーザ生成返信に対応する前記情報の表示を前記第１のユーザインターフェース要素に表示し、
送信入力を受け取ったことに応じて、前記ユーザ生成返信を送信する、ように構成されている、デバイス。
【請求項４２】
前記ユーザ生成返信が、テキストベースのメッセージを含む、請求項４１に記載のデバイス。
【請求項４３】
送信入力の受信が、第２のユーザインターフェース要素の選択を受信することを含む、請求項４２に記載のデバイス。
【請求項４４】
前記ユーザ生成返信が音声メッセージを含む、請求項４１又は４２に記載のデバイス。
【請求項４５】
送信入力の受信が、前記電子デバイスを下ろす動きを検出することを含む、請求項４４に記載のデバイス。
【請求項４６】
前記デバイスが、
前記ユーザ生成返信を送信に供することに応じて、前記ユーザインターフェースの前記第１の領域内に前記第１の通知要素を表示するのを停止するように更に構成されている、請求項４１から４５のいずれか一項に記載のデバイス。
【請求項４７】
前記ユーザ生成返信に関する前記情報が、前記ユーザインターフェースの第２の領域内に関連のアプリケーションを表示することなく受信される、請求項４１から４６のいずれか一項に記載のデバイス。
【請求項４８】
前記デバイスが、
前記第１の通知要素を表示している間に、第２のメッセージを受信し、
前記ユーザ生成返信を送信に供することに応じて、
前記ユーザインターフェースの前記第１の領域内に第２の通知要素を表示する、ように更に構成され、前記通知要素は、前記受信した第２のメッセージに関する情報を含む、請求項４１から４７のいずれか一項に記載のデバイス。
【請求項４９】
前記デバイスが、
前記第２のメッセージの受信に応じて、前記第１の通知要素内に、前記第２のメッセージを受信したという表示を表示するように更に構成されている、請求項４８に記載のデバイス。
【請求項５０】
前記デバイスが、
前記第１の通知要素を表示している間に、第２のメッセージを受信させ、
前記第２のメッセージが前記第１のメッセージに関連すると判定し、
前記ユーザインターフェースの前記第１の領域内に第２の通知要素を表示する、ように更に構成され、前記通知要素は、前記受信した第２のメッセージに関する情報を含む、請求項４１から４７のいずれか一項に記載のデバイス。
【請求項５１】
前記第２の通知要素を表示することが、すでに受信している、前記ユーザ生成返信に関する情報を保持することを含む、請求項５０に記載のデバイス。
【請求項５２】
前記デバイスが、
前記第１の通知要素の選択に対応する入力の受信に応じて、前記ユーザインターフェースの第２の領域内に関連のアプリケーションを表示するように更に構成されている、請求項４１から４６のいずれか一項に記載のデバイス。
【請求項５３】
前記関連のアプリケーションを前記ユーザインターフェースの第２の領域内に表示することが、すでに受信している、前記ユーザ生成返信に関する情報を保持することを含む、請求項５２に記載のデバイス。
【請求項５４】
前記第１のユーザインターフェース要素が、テキスト入力フィールドである、請求項４１から５３のいずれか一項に記載のデバイス。
【請求項５５】
前記第１のユーザインターフェース要素を表示することが、
前記ユーザインターフェースの前記第１の領域内において１つ以上のジェスチャのシーケンスを受け取ることと、
１つ以上のジェスチャの前記シーケンスの受け取りに応じて、前記ユーザインターフェースの第２の領域内に前記第１のユーザインターフェース要素を表示することと、
を含む、請求項５４に記載のデバイス。
【請求項５６】
前記第１のユーザインターフェース要素が、テキスト入力フィールドと、音声の録音を開始するための音声入力ボタンと、を含み、
前記第１のユーザインターフェース要素の選択の受信に応じて、
前記選択が前記テキスト入力フィールドの選択を含むという判定に従い、前記ディスプレイ上に前記キーボード要素を表示し、前記音声入力ボタンを、テキストメッセージを送信するための送信ボタンに入れ替え、
前記選択が前記音声入力ボタンの選択を含むという判定に従い、音声の録音を開始し、前記テキスト入力フィールドを、前記音声が録音されている表示に入れ替える、請求項４１から５３のいずれか一項に記載のデバイス。
【請求項５７】
前記第１のメッセージが音声メッセージであり、前記方法が、
前記第１の通知要素を表示している間に、前記電子デバイスを耳にあてる動作を検出したことに応じて、前記第１のメッセージを再生することを更に含む、請求項４１から５６のいずれか一項に記載のデバイス。
【請求項５８】
前記デバイスが、
前記第１のメッセージの前記第１の通知要素を表示している間に、第２のメッセージを受信し、
前記第２のメッセージの受信に応じて、
前記第２のメッセージが前記第１のメッセージに関連しないという判定に従い、前記第２のメッセージの第２の通知要素を表示するのを、前記第１の通知要素が閉じられるまで遅延させるように更に構成されている、請求項４１から４６のいずれか一項に記載のデバイス。
【請求項５９】
前記命令が、更に、前記プロセッサに、
前記第２の通知要素を表示している間に、前記第１の通知要素を閉じる要求を検出させ、
前記第１の通知要素を閉じる前記要求を検出したことに応じて、前記第１の通知要素を表示するのを停止させ、
前記第１の通知要素を表示するのを停止した後、前記第２の通知要素を表示させる、請求項５８に記載のデバイス。
【請求項６０】
前記デバイスが、前記第２のメッセージの受信に応じて、前記第２のメッセージが前記第１のメッセージに関連するという判定に従い、前記第１の通知要素をアップデートして前記第２のメッセージを受信したことを示すように更に構成されている、請求項５８に記載のデバイス。
【請求項６１】
命令を有するコンピュータプログラムであって、前記命令が実行されると、データ処理システムに、請求項１から２０のいずれか一項に記載の方法を実行させる、コンピュータプログラム。
【請求項６２】
メモリと、
１つ以上のプロセッサと、
前記メモリに記憶された、前記１つ以上のプロセッサによって実行するための１つ以上のプログラムであって、請求項１から２０のいずれか一項に記載の方法を実施するための命令を含む、１つ以上のプログラムと、
を備える、デバイス。